(57)【要約】      （修正有）【課題】優れた冷却性及び耐振動性を有し、かつ輸送に耐え得る強度を有する輸送用保冷箱を提供する。【解決手段】液体を収容した複数の容器を輸送するための輸送用保冷箱１０であって、輸送用保冷箱１０は、上方に開口する本体１２と、本体１２の側壁上端の開口端部に対して内嵌合する蓋体１４とからなる発泡樹脂製の箱体と、蓄冷剤と、台座１８とからなり、蓄冷剤は、蓋体１４の裏面側に樹脂製仕切り網によって積載されるように装着され、台座１８は、複数の容器を起立保持する複数の容器収容孔２０を有するゴムスポンジであり、容器収容孔２０は、輸送用保冷箱１０の上面から見て略クロス状であることを特徴とする。樹脂製仕切り網は、蓋体１４の裏側面に突き刺して設けられていることが好適である。【選択図】図１
0003192532.tif 000002
【実用新案登録請求の範囲】
【請求項１】
液体を収容した複数の容器を輸送するための輸送用保冷箱であって、
前記輸送用保冷箱は、上方に開口する本体と、前記本体の側壁上端の開口端部に対して内嵌合する蓋体とからなる発泡樹脂製の箱体と、蓄冷剤と、台座とからなり、
前記蓄冷剤は、蓋体の裏面側に樹脂製仕切り網によって積載されるように装着され、
前記台座は、前記複数の容器を起立保持する複数の容器収容孔を有するゴムスポンジであり、
前記容器収容孔は、前記輸送用保冷箱の上面から見て略クロス状であることを特徴とする輸送用保冷箱。
【請求項２】
前記樹脂製仕切り網は、蓋体の裏側面に突き刺して設けられていることを特徴とする輸送用保冷箱。
【考案の詳細な説明】
【技術分野】
【０００１】  本考案は、試験体瓶輸送箱に関する。
【背景技術】
【０００２】  一般にバイアル等の試験体を封入する瓶性の容器を輸送する箱としては、段ボール製等の紙部材で構成された箱状のものが知られている（特許文献１）。また、特許文献２には複数のバイアルを収容する紙製の包装箱が知られている。
【先行技術文献】
【特許文献】
【０００３】
【特許文献１】実開平６−４７１１９号公報
【特許文献２】特開平７−３００１５６号公報
【考案の概要】
【考案が解決しようとする課題】
【０００４】  しかし、これらの特許文献には、例えば室温以下の温度条件下で輸送しなければならないバイアルを輸送するための技術については開示されておらず、保冷剤を上述のような紙製の箱に封入したとしても結露による水分によって箱が濡れてしまうために強度を保つことが困難である。
また、紙製の包装箱では、組み立てに手間がかかり、バイアルの出し入れに手間がかかり、不便である。一方で、ステンレス等の金属製による試験管立てにバイアルを収納し、上記包装箱に封入したとしてもバイアルがガラス製の場合には金属製の試験管立ての内縁と接触することにより、バイアルが傷ついたり破損したりするおそれがあった。【０００５】  本考案の目的は、試薬等を入れたバイアル等の検体容器を種々の機関へ運搬する際に、冷却下に置かれたバイアル内の試薬の温度を上昇させることなく保管及び輸送することができ、かつ耐振動性を有する輸送用保冷箱を提供することにある。
【課題を解決するための手段】
【０００６】  上記の課題を解決する本考案の輸送用保冷箱は、液体を収容した複数の容器を輸送するための輸送用保冷箱であって、前記輸送用保冷箱は、上方に開口する本体と、前記本体の側壁上端の開口端部に対して内嵌合する蓋体とからなる発泡樹脂製の箱体と、蓄冷剤と、台座とからなり、前記蓄冷剤は、蓋体の裏面側に樹脂製仕切り網によって積載されるように装着され、前記台座は、前記複数の容器を起立保持する複数の容器収容孔を有するゴムスポンジであり、前記容器収容孔は、前記輸送用保冷箱の上面から見て略クロス状であることを特徴とするものである。【０００７】  上記構成によれば、試薬等の温度を上昇させることなく、バイアルを起立保持させたまま、試薬を保管及び輸送することができる。【０００８】  また、前記樹脂製仕切り網は、蓋体の裏側面に突き刺して設けられていることが好適である。【０００９】  上記構成によれば、ある程度重さのある蓄冷剤を蓋体に積載させたとしても、蓄冷剤が本体に落ちるおそれがない。また、振動や落下等による外からの要因があったとしても蓄冷剤の落下を防ぐことができる。
【考案の効果】
【００１０】  以上説明したように、本考案によれば、試薬等を入れたバイアル等の験体容器を種々の機関へ運搬する際に、冷却下に置かれた容器内の試薬の温度を上昇させることなく保管及び輸送することができ、かつ耐振動性を有する輸送用保冷箱を提供することができる。
【図面の簡単な説明】
【００１１】
【図１】本考案に係る輸送用保冷箱の好適な実施形態を示す斜視図である。
【図２】台座を示す図である。
【図３】蓋体を下から見た斜視図である。
【考案を実施するための最良の形態】
【００１２】  以下、本考案に係る好適な実施形態を図面に基づいて説明する。【００１３】  図１において、本考案に係る輸送用保冷箱の外観が示されている。本実施形態に係る輸送用保冷箱１０は、液体を収容した複数の容器を輸送するためのものであ。本実施形態においては、特に、バイアル等のサンプル瓶を保冷しながら輸送するために用いられる。【００１４】  本実施形態に係る輸送用保冷箱１０は、大別して上方に開口する本体１２と、前記本体の側壁上端の開口端部に対して内嵌合する蓋体１４とからなる箱体と、蓄冷剤２２と、台座１８とから構成される。該箱体は、図示されるように、本体１２、蓋体１４によって構成されており、これらの部材はいずれも本実施形態において発泡スチロールよって形成されているが、耐衝撃性を有する発泡樹脂であれば特に限定されない。【００１５】  また、本体１２と蓋体１４とは内嵌合する構造からなるが、輸送時には蓋体の２箇所に設けられた通し穴１６ａと、本体の２箇所に設けられた通し穴１６ｂとをひも等で通し、ひもの両端を括れば運搬が容易となる。【００１６】  図２において、台座１８に試験管２６を起立して状態で保持させた状態が示されている。台座１８は、複数の容器を起立保持する容器収容孔２０を有している。
台座１８の素材は特に限定されないが、特に発泡ゴムスポンジであれば多様なサイズの検体容器を収容することができ、かつ、検体容器同士がぶつかることによって破損するおそれがない。また、収容孔２０の大きさは、１〜１５ｍｌ検体容器が収容できる寸法であれば特に限定されない。【００１７】  また、該容器収容孔は、前記輸送用保冷箱の上面から見て略クロス状である。このような構造とすることによって、前述と同様に、多様なサイズの検体容器を収容することができる。【００１８】  図３には、本実施形態の係る輸送用保冷箱１０の蓋体１４を下から見た図である。
図３に示されるように、蓋体１４は、前記本体の側壁上端の開口端部に対して内嵌合するような構造である。また、蓄冷剤２２は、蓋体１４の裏面側に樹脂製仕切り網２４によって積載されるように装着されている。
このような構造とすることで、検体容器を輸送する際に、蓄冷剤が併置されるため、試薬等を入れたバイアル等の験体容器を種々の機関へ運搬する際に、冷却下に置かれた容器内の試薬の温度を上昇させることなく保管及び輸送することができる。【００１９】  また、樹脂製仕切り網２４は、蓋体の裏側面に突き刺して設けられている。このような構造とすることで、ある程度重さのある蓄冷剤を蓋体に積載させたとしても、蓄冷剤が本体に落ちるおそれがない。また、振動や落下等による外からの要因があったとしても蓄冷剤の落下を防ぐことができ、耐振動性や耐衝撃性を備えることができる。
これは、蓋体が発泡樹脂であることから、該樹脂製仕切り網２４が突き刺さりやすい素材を用いたことによる。【００２０】  なお、樹脂製仕切り網２４の材質は発泡樹脂に突き刺さりやすいものであれば限定されないが、錆による劣化や検体容器が瓶製であった場合に傷がつき難くするため、金属製でないことが好ましい。
以上の理由から、樹脂製仕切り網２４の材質はポリエチレンテレフタラート、ポリアセタール、ポリカーボネート、ポリアミド等の公知の樹脂でよい。【００２１】  以上の説明により、本考案によって、試薬等を入れたバイアル等の検体容器を種々の機関へ運搬する際に、冷却下に置かれたバイアル内の試薬の温度を上昇させることなく保管及び輸送することができ、かつ耐振動性を有する輸送用保冷箱を提供することができる。
【符号の説明】
【００２２】  １０  輸送用保冷箱
１２  本体
１４  蓋体
１８  台座
２０  容器収容孔
２２  蓄冷剤
２４  樹脂製仕切り網
【図１】
0003192532.tif 000003
【図２】
0003192532.tif 000004
【図３】
0003192532.tif 000005